(57)【要約】【課題】  牛の尻尾の炎症等を防ぐことができ、センサが位置ずれしたり、脱落するのを防止し、牛の尻尾に対するセンサの取り外し、取り付け作業を容易化できる家畜用センサモジュール取付具を提供する。【解決手段】  家畜に、生体データ計測用のセンサモジュール１０を取り付けるための取付具であり、家畜である牛の尻尾に着脱自在に巻き付けられる伸縮性の弾性被覆帯２０を備え、この弾性被覆帯２０を、多数の網目２３を有する略網目構造に成形し、弾性被覆帯２０の牛の尻尾に対向する対向面に、牛の尻尾に密接するセンサモジュール１０を装着する。弾性被覆帯２０が弾性を有するので、尻尾にセンサモジュール１０が密接しても、センサモジュール１０が強く圧接されることがなく、尻尾の皮膚に炎症が発生するおそれを排除することができる。【選択図】  図３
2020110096.tif 000002
【特許請求の範囲】
【請求項１】
家畜に、生体データ計測用のセンサモジュールを取り付けるための家畜用センサモジュール取付具であって、
牛の尻尾に巻き付けられる伸縮性の弾性被覆帯を有し、この弾性被覆帯が複数の網目を有する略網目構造に形成され、弾性被覆帯の牛の尻尾に対向する対向面に、センサモジュールが装着されることを特徴とする家畜用センサモジュール取付具。
【請求項２】
センサモジュール用の被覆部材を含んでなる請求項１記載の家畜用センサモジュール取付具。
【請求項３】
弾性被覆帯は、熱可塑性エラストマー、熱硬化性エラストマー、及び伸縮性の布のいずれかにより形成される請求項１又は２記載の家畜用センサモジュール取付具。
【請求項４】
弾性被覆帯の複数の網目のうち、少なくとも一部の網目の斜線が弾性被覆帯の巻き付け方向に交わる方向に傾斜して指向する請求項１、２、又は３記載の家畜用センサモジュール取付具。
【請求項５】
被覆部材が防水性のゲルシートにより形成され、このゲルシートの両面のうち、少なくとも片面に粘着性が付与される請求項２、３、又は４記載の家畜用センサモジュール取付具。
【発明の詳細な説明】
【技術分野】
【０００１】
本発明は、牛の健康管理や受胎適正期の判別等に使用される家畜用センサモジュール取付具に関するものである。
【背景技術】
【０００２】
畜産業においては、牛、豚、鶏等が飼育されるが、これらの中では、牛は、飼養頭数が少ないものの、単価が高く、長期の健康を維持させる必要があること、及び人工授精をしているため、畜産のターゲットとしては最適である。
【０００３】
近年、牛の健康管理や受胎適正期を判別したい場合には、図示しないが、牛の尻尾に、生体データ検出用のウェアラブルセンサを固定具を介して取り付け、ウェアラブルセンサが検出した生体データをホストシステムに集約して解析し、少人数で牛群管理を可能とするようにしている。固定具は、例えば着脱自在の帯形の粘着テープ、包帯、使い捨てテープ、ベルト、ロープ等からなり、牛の尻尾に緊締されることにより、尻尾にウェアラブルセンサを圧接する（特許文献１、２、３参照）。
【先行技術文献】
【特許文献】
【０００４】
【特許文献１】Ｗ０２０１６／１７４８４０号公報
【特許文献２】特開平１１‐３２６０９号公報
【特許文献３】特開平１１‐２３４６６８号公報
【発明の概要】
【発明が解決しようとする課題】
【０００５】
しかしながら、牛の尻尾は、臀端に近い尾根部から先端部にかけて細くなる略円錐形なので、固定具が緊締されても、固定具が脱落し易いという問題がある。この問題を踏まえ、牛の尻尾に固定具をきつく緊締すると、尻尾にウェアラブルセンサが強く圧接されるので、尻尾の皮膚に炎症が発生し易くなるという大きな問題が新たに生じる。この問題を解消するには、牛の尻尾に固定具を緩く巻けば良いが、そうすると、皮膚の炎症を防ぐことはできるものの、牛が尻尾を振った場合に、ウェアラブルセンサが固定具内で動き、ウェアラブルセンサが簡単に位置ずれしたり、固定具から抜けて脱落することとなる。
【０００６】
また、牛の尻尾にウェアラブルセンサを取り付ける場合、牛の健康等を長期に亘って管理する観点から、子牛の段階でウェアラブルセンサを取り付けることが好ましいが、子牛の尻尾の太さは３ｃｍ前後であるのに対し、成牛の尻尾の太さは７ｃｍ前後である。したがって、牛の成長に伴い、尻尾からウェアラブルセンサを取り外した後、再度取り付ける必要があるが、牛を多頭飼育する場合には、作業が実に面倒で煩雑となる。この作業の煩雑化は、将来、畜産農家の作業従事者の減少が予想されるので、深刻な問題となる。
【０００７】
本発明は上記に鑑みなされたもので、牛の尻尾の炎症等を防ぐことができ、センサが位置ずれしたり、脱落するのを防止し、牛の尻尾に対するセンサの取り外し、取り付け作業を容易にすることが可能な家畜用センサモジュール取付具を提供することを目的としている。
【課題を解決するための手段】
【０００８】
本発明においては上記課題を解決するため、家畜に、生体データ計測用のセンサモジュールを取り付けるためのものであって、
牛の尻尾に巻き付けられる伸縮性の弾性被覆帯を有し、この弾性被覆帯が複数の網目を有する略網目構造に形成され、弾性被覆帯の牛の尻尾に対向する対向面に、センサモジュールが装着されることを特徴としている。
【０００９】
なお、センサモジュール用の被覆部材を含むことができる。
また、弾性被覆帯は、熱可塑性エラストマー、熱硬化性エラストマー、及び伸縮性の布のいずれかにより形成されることが好ましい。
また、弾性被覆帯の牛の臀端に近接する前部を横方向に伸長して後部を短縮し、弾性被覆帯の両側部をそれぞれ後部に向けて傾斜させることにより、弾性被覆帯を平面略台形に形成することができる。
また、弾性被覆帯の複数の網目のうち、少なくとも一部の網目の斜線が弾性被覆帯の巻き付け方向に交わる方向に傾斜して指向することが好ましい。
【００１０】
また、弾性被覆帯の両側部に締結具がそれぞれ取り付けられ、弾性被覆帯の一側部側の締結具に孔が穿孔されるとともに、弾性被覆帯の他側部側の締結具に係合ピンが形成されており、この係合ピンが対向する孔に着脱自在に嵌め合わせ可能であるようにすることができる。
また、被覆部材が防水性のゲルシートにより形成され、このゲルシートの両面のうち、少なくとも片面に粘着性が付与されることが好ましい。
【００１１】
本発明によれば、牛の尻尾にセンサモジュールを取り付けたい場合には、尻尾にセンサモジュールを接触させて位置合わせし、尻尾に伸縮性の弾性被覆帯を巻き付け、この弾性被覆帯を締結すれば、牛の尻尾にセンサモジュールを密接させ、牛の健康状態を管理等することができる。
【発明の効果】
【００１２】
本発明によれば、牛の尻尾の皮膚の炎症等を防ぐことができ、センサモジュールが位置ずれしたり、脱落するのを防止することができるという効果がある。また、牛の尻尾に対するセンサモジュールの取り外しや取り付け作業を容易にすることができる。
【００１３】
請求項２記載の発明によれば、牛の尻尾とセンサモジュールとの間に介在する被覆部材により、牛の尻尾に対する圧迫を軽減することができ、血流の低下や尻尾の損傷を防止することができる。
請求項３記載の発明によれば、弾性被覆帯を熱可塑性エラストマーにより成形すれば、安全性や製造の自由度を向上させることが可能となる。また、安価な製造が期待でき、再生可能となる。これに対し、弾性被覆帯を熱硬化性エラストマーにより成形すれば、優れた耐溶剤性、耐熱性、機械的強度等を得ることが可能となる。また、弾性被覆帯を伸縮性の布により形成すれば、安価な製造が期待できる。
【００１４】
請求項４記載の発明によれば、弾性被覆帯が張力の発生方向にバイアス構造を有するので、弾性被覆帯に圧縮力や伸長力が作用した場合、弾性被覆帯が伸縮して歪等を分散し、弾性被覆帯やセンサモジュールの位置ずれを防止することができる。
請求項５記載の発明によれば、牛の糞尿や雨等からセンサモジュールを保護し、牛の生体データを安定して取得することができる。
【図面の簡単な説明】
【００１５】
【図１】本発明に係る家畜用センサモジュール取付具の実施形態における牛を模式的に示す説明図である。
【図２】本発明に係る家畜用センサモジュール取付具の実施形態における牛の尻尾を模式的に示す説明図である。
【図３】本発明に係る家畜用センサモジュール取付具の実施形態における弾性被覆帯とセンサモジュールとを模式的に示す平面説明図である。
【図４】本発明に係る家畜用センサモジュール取付具の第２の実施形態における弾性被覆帯とセンサモジュールとを模式的に示す平面説明図である。
【図５】本発明に係る家畜用センサモジュール取付具の第３の実施形態における弾性被覆帯とセンサモジュールとを模式的に示す平面説明図である。
【図６】本発明に係る家畜用センサモジュール取付具の第４の実施形態における弾性被覆帯を模式的に示す平面説明図である。
【図７】本発明に係る家畜用センサモジュール取付具の第５の実施形態における弾性被覆帯を模式的に示す平面説明図である。
【図８】本発明に係る家畜用センサモジュール取付具の第６の実施形態における弾性被覆帯を模式的に示す平面説明図である。
【図９】本発明に係る家畜用センサモジュール取付具の第７の実施形態における弾性被覆帯を模式的に示す平面説明図である。
【図１０】本発明に係る家畜用センサモジュール取付具の第８の実施形態における弾性被覆帯を模式的に示す平面説明図である。
【図１１】本発明に係る家畜用センサモジュール取付具の第９の実施形態における弾性被覆帯を模式的に示す平面説明図である。
【図１２】本発明に係る家畜用センサモジュール取付具の第１０の実施形態における弾性被覆帯を模式的に示す平面説明図である。
【発明を実施するための形態】
【００１６】
以下、図面を参照して本発明の好ましい実施の形態を説明すると、本実施形態における家畜用センサモジュール取付具は、図１ないし図３に示すように、家畜に、生体データ計測用の無線タイプのセンサモジュール１０を取り付けるための取付具であり、家畜である牛１の尻尾２に巻き付けられる伸縮性の弾性被覆帯２０を備え、この弾性被覆帯２０を略網目構造に形成し、弾性被覆帯２０の牛１の尻尾２に対向する対向内面に、尻尾２に密接するセンサモジュール１０を装着するようにしている。
【００１７】
牛１は、図１に示すように、子牛でも成牛でも良いが、健康状態等を長期に亘って管理したい場合には、子牛が良い。この牛１は、細長い尻尾２の腹側（図１の下側、裏側）、具体的には、尻尾２の臀端に近い尾根部３の毛の生えていない腹側（裏側）に、センサモジュール１０が所定の圧力で密接される。尻尾２は、図１や図２に示すように、例えば牛１が標準形の和牛の場合、牛１の臀端に近接する尾根部３と、この尾根部３に隣接する勾配部４と、この勾配部４から細長く伸びる中間部５と、この中間部５の先端に形成される先端部６とを備え、勾配部４が急激に細くなる。
【００１８】
尾根部３から勾配部４に亘る領域は、毛の生えていない腹側（図２の左側）の伸縮が小さく、毛で覆われた外側が大きく伸縮するという特徴を有する。尾根部３の腹側は、センサモジュール１０の密接に選択されるが、これは毛が生えていないので、牛１の体表温を高精度、かつ安定して測定することができるからである。さらに、牛１の尻尾２は、馬の尻尾ほど丈夫ではないので、毛で覆われた先端部６が雑に扱われると、千切れるおそれがあるからである。また、勾配部４の周長は、例えば尾根部３の周長が２４０ｍｍ前後の場合には、１４０ｍｍ前後が一般的である。また、中間部５の周長は、例えば尾根部３の周長が２４０ｍｍ前後の場合には、一般的には１２０ｍｍ前後である。
【００１９】
センサモジュール１０は、図３に示すように、光透過性を有する薄い小型の収納ボックス１１を備え、この収納ボックス１１に、牛１の生体データである体表温を連続して測定して検出する体温センサ、この体温センサの検出した検出信号を受信装置や中継装置を介してインターネットのクラウドシステムに送信する通信回路、これら体温センサと通信回路とを制御する制御回路、及び体温センサ，通信回路，制御回路に所定の期間電力を給電する電源が少なくとも内蔵される。
【００２０】
体温センサが選択されるのは、牛１の健康状態の管理や病変を発見するには、牛１の生体データのうち、体表温が最も重要となるからである。また、電源の容量は、センサモジュール１０の交換期間やメンテナンス期間に応じて選択される。
このようなセンサモジュール１０で牛１の体表温がインターネットのクラウドシステムに常時送信されれば、専用のコンピュータ機器や携帯端末により、牛１の健康管理、受胎適正期の判別、分娩時期の予知精度の向上、子牛の病変の早期発見等が大いに期待できる。
【００２１】
弾性被覆帯２０は、図３に示すように、例えば熱可塑性エラストマーと熱硬化性エラストマーのいずれか一方により、２０ｃｍ×３２ｃｍ程度の大きさを有する横長の帯形に発泡成形され、中空の多数の網目２３をＸＹ方向に有する網目構造に形成されており、牛１の尻尾２の尾根部３及び勾配部４付近に着脱自在に巻着される。
【００２２】
弾性被覆帯２０の材料は、熱可塑性エラストマーの場合には、柔軟な軟質のポリウレタン樹脂等が使用される。これに対し、材料が熱硬化性エラストマーの場合には、撥水性，耐候性，耐寒性等に優れるシリコーンゴム等が選択される。また、弾性被覆帯２０の厚さは、特に限定されるものではないが、長期に亘る耐久性等を考慮すると、１ｍｍ以上６ｍｍ以下、好ましくは２ｍｍ以上５ｍｍ以下が良い。
【００２３】
弾性被覆帯２０は、周縁部の大部分が連続した山形に形成され、牛１の臀端寄りに位置する前部の中央付近が狭い取付領域２１に形成されるとともに、残部が広い網目領域２２に形成されており、非網目の取付領域２１に、センサモジュール１０が接着剤で接着されたり、あるいは粘着剤で粘着される。
【００２４】
弾性被覆帯２０の取付領域２１には、必要に応じ、センサモジュール１０の収納ボックス１１に嵌合する平面矩形の凹み穴が形成される。また、弾性被覆帯２０の多数の網目２３は、大きな横長の菱形、複数の平行四辺形、及びセンサモジュール１０の左右両側に隣接する一対の小さな略三角形に形成され、これら菱形の網目２３、平行四辺形の網目２３、略三角形の網目２３が異なる大きさとされており、菱形の網目２３と複数の平行四辺形の網目２３とが隣接する。
【００２５】
弾性被覆帯２０の多数の網目２３のうち、少なくとも大部分の網目２３の斜線ｏｌは、弾性被覆帯２０の巻き付け方向に交わる方向、換言すれば、弾性被覆帯２０の前後斜め方向に傾斜して指向する。また、菱形の網目２３と複数の平行四辺形の網目２３の横方向の対角線ｄは、弾性被覆帯２０の巻き付け方向にそれぞれ指向する。菱形の網目２３の縦方向の対角線は、弾性被覆帯２０の前後方向に指向する。
【００２６】
弾性被覆帯２０の左右両側部には、複数（本実施形態では合計６個）の固定孔２４がそれぞれ前後方向に並べて穿孔され、各固定孔２４が平面円形の丸孔に形成される。左右両側部の複数の固定孔２４には、図示しない締結具（例えば、糸やバンド、紐、細長い凹凸付きの樹脂片等）が取り付けられ、この締結具が着脱自在に緊縛されたり、緊締等されることにより、尻尾２の尾根部３及び勾配部４付近に湾曲して巻き付けられた弾性被覆帯２０が脱落しないよう略円筒形に固定される。
【００２７】
このような弾性被覆帯２０は、主たる張力の発生方向にバイアス構造を有するので、圧縮力や伸長力が作用した場合、伸縮して歪を分散し、位置ずれを有効に防止する。具体的には、圧縮力や伸長力が作用した場合、前後方向に伸びて左右横方向に縮むことにより歪を分散したり、左右横方向に伸びて前後方向に縮むことにより歪を分散する。
【００２８】
上記構成において、牛１の尻尾２にセンサモジュール１０を取り付けたい場合には、尻尾２の尾根部３の腹側にセンサモジュール１０を接触させて位置合わせし、尻尾２の尾根部３及び勾配部４付近に可撓性の弾性被覆帯２０を曲げながら巻き付け、この弾性被覆帯２０の左右両側部の複数の固定孔２４を締結具で締結し、その後、尾根部３の腹側にセンサモジュール１０を再度位置合わせして最終的に位置決めすれば、尻尾２にセンサモジュール１０を押し付けて密接し、牛１の健康状態を管理することができる。
【００２９】
牛１を管理する場合、牛１が頻繁に尻尾２を振っても、エラストマー製で軽量の弾性被覆帯２０が尻尾２に追従するので、弾性被覆帯２０やセンサモジュール１０の位置ずれが少なく、牛１の体表温を安定して得ることができ、牛１の発熱等を早期に発見することができる。また、センサモジュール１０が尻尾２の尾根部３と弾性被覆帯２０との間に介在され、弾性被覆帯２０から外部に露出しないので、牛１の糞尿による汚染が減少する。
【００３０】
上記構成によれば、弾性被覆帯２０が伸縮性や弾性を有するので、例え牛１の尻尾２が徐々に細くなる円錐形でも、弾性被覆帯２０が尻尾２の径に応じ、伸縮して密接するので、弾性被覆帯２０が容易に脱落することがない。また、尻尾２にセンサモジュール１０の収納ボックス１１が密接しても、センサモジュール１０の収納ボックス１１が強く圧接されることがないので、尻尾２の皮膚に炎症が発生するおそれを有効に排除することができる。また、弾性被覆帯２０を緩く巻く必要がないので、例え牛１が尻尾２を振ったり、成長しても、センサモジュール１０が弾性被覆帯２０から抜け、センサモジュール１０が簡単に位置ずれしたり、脱落するのを有効に防止することができる。
【００３１】
また、弾性被覆帯２０が網目構造なので、優れた伸縮性や変形性、自由度を得ることができる。したがって、牛１の成長に伴い、尻尾２を被覆する弾性被覆帯２０が伸びて順応するので、牛１の尻尾２からセンサモジュール１０を取り外した後、再度取り付ける作業を大幅に減少させることが可能である。この効果は、将来、畜産農家の作業従事者の減少が予想されるので、非常に有意義である。
【００３２】
また、弾性被覆帯２０が両端部のみ開口した筒形構造ではなく、中空部分の多い網目構造なので、弾性被覆帯２０の通気性が向上し、尻尾２の尾根部３及び勾配部４付近が蒸れて疾病の原因となるのを有効に防止することが可能となる。また、牛１の受胎率の低下と分娩間隔の延長は、生産性を阻害するため、従来より大きな問題となっているが、本実施形態によれば、発情が見つけられない牛１でも、授精の適期を判定することができる。さらに、事前に分娩を予知することができ、人工授精実施率や受胎率が向上したり、事故のない安全な分娩の増加が期待できる。
【００３３】
次に、図４は本発明の第２の実施形態を示すもので、この場合には、弾性被覆帯２０の多数の網目２３をそれぞれ大きく拡大してその数を減少させ、弾性被覆帯２０の左右両側部の固定孔２４に細長い締結具２５・２５Ａをそれぞれ取り付けるようにしている。
【００３４】
弾性被覆帯２０の多数の網目２３は、変形した複数の平行四辺形、及びセンサモジュール１０の後部に隣接する五角形に形成され、これら変形した平行四辺形の網目２３と五角形の網目２３とが異なる大きさとされる。また、弾性被覆帯２０の一側部側の締結具２５は、複数の丸孔２６が長手方向に一列に並べて穿孔される。これに対し、弾性被覆帯２０の他側部側の締結具２５Ａは、複数の係合ピン２７が長手方向に一列に並べて突出形成され、この係合ピン２７が相対向する丸孔２６に着脱自在に嵌挿される。その他の部分については、上記実施形態と同様であるので説明を省略する。
【００３５】
本実施形態においても上記実施形態と同様の作用効果が期待でき、しかも、弾性被覆帯２０の構成の簡素化を通じ、弾性被覆帯２０の小型化や製造コストの削減を図ることができるのは明らかである。
【００３６】
次に、図５は本発明の第３の実施形態を示すもので、この場合には、センサモジュール１０を防水性の被覆部材３０により被覆し、牛１の糞尿や風雨等からセンサモジュール１０を保護して牛１の生体データを安定して取得するようにしている。
【００３７】
センサモジュール１０は、弾性被覆帯２０の取付領域２１の凹んだ凹み穴に接着して収納されたり、あるいは粘着して収納される。また、被覆部材３０は、例えば防水性の厚さ２ｍｍ程度の柔軟なゲルシート３１により形成され、このゲルシート３１の表裏両面のうち、少なくとも片面に粘着性が付与されており、この粘着性の片面が尻尾２の尾根部３の腹側、あるいはセンサモジュール１０の収納ボックス１１に粘着される。ゲルシート３１は、特に限定されるものではなく、防水性や防塵性を有する医療用のシリコーン製でも良いし、医療用のウレタン製でも良い。
【００３８】
このようなゲルシート３１は、弾性被覆帯２０の牛１の尻尾２に対向する対向内面に粘着され、弾性被覆帯２０の取付領域２１に積層されてセンサモジュール１０の収納ボックス１１を隙間なく被覆・封止する。その他の部分については、上記実施形態と同様であるので説明を省略する。
【００３９】
本実施形態においても上記実施形態と同様の作用効果が期待でき、しかも、尻尾２の尾根部３とセンサモジュール１０の収納ボックス１１との間に介在する軟質のゲルシート３１により、尾根部３の腹側に対する圧迫を緩和することができ、血流の低下や尾根部３腹側の損傷を防止することができるのは明らかである。また、センサモジュール１０に防水加工処理を何ら施す必要がないので、汎用のセンサモジュール１０を選択することができる。
【００４０】
次に、図６は本発明の第４の実施形態を示すもので、この場合には、弾性被覆帯２０の前部を左右横方向に伸長して後部を短縮するとともに、弾性被覆帯２０の両側部をそれぞれ後部に向けて傾斜させることにより、弾性被覆帯２０を位置ずれしにくい平面略台形に形成し、弾性被覆帯２０の左右両側部の固定孔２４をそれぞれ増加（本実施形態では合計１０個）させ、この増えた複数の固定孔２４に細長い締結具をそれぞれ取り付けるようにしている。その他の部分については、上記実施形態と同様であるので説明を省略する。
【００４１】
本実施形態においても上記実施形態と同様の作用効果が期待でき、しかも、固定孔２４と締結具の数を増やすので、固定箇所の細分化が期待でき、尻尾２の周長の異なる勾配部４と中間部５とに締結具をそれぞれ巻き付けて緊締すれば、尻尾２から家畜用センサモジュール取付具が位置ずれしたり、脱落するのを確実に防止することができる。
【００４２】
次に、図７は本発明の第５の実施形態を示すもので、この場合には、弾性被覆帯２０を前後方向に短縮し、弾性被覆帯２０の前部を左右横方向に伸長して後部を短縮するとともに、弾性被覆帯２０の両側部をそれぞれ後部に向けて傾斜させることにより、弾性被覆帯２０を位置ずれしにくい幅広の平面略台形に形成し、この弾性被覆帯２０の多数の網目２３を変形した横長に形成するようにしている。その他の部分については、上記実施形態と同様であるので説明を省略する。
【００４３】
本実施形態においても上記実施形態と同様の作用効果が期待でき、しかも、網目２３を変形した横長に形成して弾性被覆帯２０の伸縮率を向上させるので、弾性被覆帯２０の尻尾２に対する接触面積を減少させ、滑り性を改善することができる。
【００４４】
次に、図８は本発明の第６の実施形態を示すもので、この場合には、弾性被覆帯２０の前部を左右横方向に伸長して後部を短縮するとともに、弾性被覆帯２０の両側部をそれぞれ後部に向けて傾斜させることにより、弾性被覆帯２０を位置ずれしにくい平面略台形に形成し、弾性被覆帯２０の左右両側部の固定孔２４を所定の適当数（本実施形態では合計８個）とし、この適当数の固定孔２４に、細長い締結具をそれぞれ取り付けるようにしている。その他の部分については、上記実施形態と同様であるので説明を省略する。
【００４５】
本実施形態においても上記実施形態と同様の作用効果が期待でき、しかも、固定孔２４と締結具の数を少なくもなく、多くもない適当な数とするので、弾性被覆帯２０の尻尾２に対する滑り性を改善することが可能となる。
【００４６】
次に、図９は本発明の第７の実施形態を示すもので、この場合には、弾性被覆帯２０の前後部をそれぞれ連続した山形に形成して凹凸を増やし、この弾性被覆帯２０の多数の網目２３をそれぞれ縦長に形成し、弾性被覆帯２０の固定孔２４と細長い締結具の数をそれぞれ減少させるようにしている。その他の部分については、上記実施形態と同様であるので説明を省略する。
【００４７】
本実施形態においても上記実施形態と同様の作用効果が期待でき、しかも、網目２３が縦長に形成されるので、牛１の尻尾２の曲がる動きに弾性被覆帯２０を伸ばして容易に対応させることが可能となる。また、固定孔２４と締結具の減少により、締結具の自由な動きを確保して操作性を向上させることも可能となる。
【００４８】
次に、図１０は本発明の第８の実施形態を示すもので、この場合には、弾性被覆帯２０の後部を連続した山形に形成してその凹凸を増やし、この弾性被覆帯２０の多数の網目２３をそれぞれ縦長に形成し、弾性被覆帯２０の固定孔２４と細長い締結具の数をそれぞれ減少させるようにしている。その他の部分については、上記実施形態と同様であるので説明を省略する。
本実施形態においても上記実施形態と同様の作用効果が期待でき、しかも、尻尾２の周長の長い尾根部３と勾配部４に対する締結具の自由な動きを確保して操作性を向上させることが可能となる。
【００４９】
次に、図１１は本発明の第９の実施形態を示すもので、この場合には、弾性被覆帯２０の前部を左右方向に伸長して後部を短縮するとともに、弾性被覆帯２０の両側部をそれぞれ後部に向けて傾斜させることにより、弾性被覆帯２０を平面略台形に形成し、この弾性被覆帯２０の網目２３の数を減少させて各網目２３を拡大形成するようにしている。その他の部分については、上記実施形態と同様であるので説明を省略する。
本実施形態においても上記実施形態と同様の作用効果が期待でき、弾性被覆帯２０の網目２３を拡大するので、牛１の尻尾２に対する弾性被覆帯２０の自由な動きの確保が期待できる。
【００５０】
次に、図１２は本発明の第１０の実施形態を示すもので、この場合には、弾性被覆帯２０の前後部をそれぞれ連続した山形に形成して凹凸を増やし、この弾性被覆帯２０の多数の網目２３をそれぞれ縦長に形成し、弾性被覆帯２０の一側部前後方向には、複数の締結具２５を並べて一体形成するとともに、弾性被覆帯２０の他側部前後方向には、締結具用の複数の固定孔２４を並べて穿孔するようにしている。その他の部分については、上記実施形態と同様であるので説明を省略する。
【００５１】
本実施形態においても上記実施形態と同様の作用効果が期待でき、弾性被覆帯２０の一側部に複数の締結具２５が並べて一体形成されているので、尻尾２の尾根部３及び勾配部４付近の腹側にセンサモジュール１０を片手で接触させて位置合わせしたり、弾性被覆帯２０を片手で簡易に締結することができ、操作性の向上が大いに期待できる。
【００５２】
なお、上記実施形態では子牛や成牛を示したが、何らこれに限定されるものではなく、乳牛や肉牛でも良い。また、センサモジュール１０の収納ボックス１１に防水性や防塵性を付与しても良い。また、弾性被覆帯２０を、熱可塑性エラストマーと熱硬化性エラストマーのいずれか一方により成形しても良いが、何らこれに限定されるものではなく、例えば伸縮性の布体（例えば、ニット製の布等）等により形成しても良い。また、ゲルシート３１の表裏両面にそれぞれ粘着性を付与しても良いし、強粘着性ではなく、弱粘着性を付与して着脱自在とすることもできる。さらに、ゲルシート３１を洗浄し、繰り返し使用することもできる。
【産業上の利用可能性】
【００５３】
本発明に係る家畜用センサモジュール取付具は、少なくとも畜産業や酪農業の分野で使用される。
【符号の説明】
【００５４】
１      牛
２      尻尾
３      尾根部
４      勾配部
５      中間部
６      先端部
１０    センサモジュール
２０    弾性被覆帯
２２    網目領域
２３    網目
２４    固定孔
２５    締結具
２５Ａ  締結具
３０    被覆部材
３１    ゲルシート
ｏｌ    斜線
【図１】
2020110096.tif 000003
【図２】
2020110096.tif 000004
【図３】
2020110096.tif 000005
【図４】
2020110096.tif 000006
【図５】
2020110096.tif 000007
【図６】
2020110096.tif 000008
【図７】
2020110096.tif 000009
【図８】
2020110096.tif 000010
【図９】
2020110096.tif 000011
【図１０】
2020110096.tif 000012
【図１１】
2020110096.tif 000013
【図１２】
2020110096.tif 000014